(57)【要約】【課題】  簡明な構成で発射ハンドルと発射機構の相対位置を自由に設定可能な遊技球発射装置を提供する。【解決手段】  回動操作可能な発射レバー１１２を有する発射ハンドル１１０と、遊技球を発射する発射機構１２０と、発射機構による遊技球の発射強度を設定する発射強度設定構造１４０と、発射レバーの回動作動を発射強度設定構造に伝達する伝達機構１５０とを備える、発射レバー１１２が回動操作されたときに伝達機構１５０により発射強度設定構造に伝達された発射強度で遊技球を発射するように構成された遊技球発射装置において、伝達機構に可撓性を有して屈設可能な伝送部材１５１を設け、伝送部材により発射レバー１１２と発射強度設定構造１４０とを機械的に連結して発射レバーの回動作動を発射強度設定構造に伝達するように遊技球発射装置を構成する。【選択図】  図３
2006068145.tif 000002
【特許請求の範囲】
【請求項１】
遊技機の前面側に突出して設けられたハンドルベースおよび当該ハンドルベースに回動操作可能に設けられた発射レバーを有する発射ハンドルと、
遊技球を発射する発射機構と、
前記発射機構による遊技球の発射強度を設定する発射強度設定手段と、
前記発射レバーの回動作動を前記発射強度設定手段に伝達する伝達手段とを備え、
前記発射レバーが回動操作されたときに、前記伝達手段により前記発射強度設定手段に伝達され当該発射強度設定手段により設定された発射強度で前記発射機構が前記遊技球を発射するように構成された弾球遊技機の遊技球発射装置において、
前記伝達手段が、可撓性を有して屈設可能な伝送部材を備えて形成され、前記発射レバーと前記発射強度設定手段とを機械的に連結して前記発射レバーの回動作動を前記発射強度設定手段に伝達するように構成したことを特徴とする弾球遊技機の遊技球発射装置。
【発明の詳細な説明】
【技術分野】
【０００１】
本発明は、弾球遊技機に用いられる遊技球発射装置に関し、なお詳細には、遊技者が回動操作する発射ハンドルと遊技球を発射する発射機構とを有し、発射ハンドルにおける発射レバーの回動操作量に応じた発射強度で遊技球を発射するように構成された遊技球発射装置に関する。
【背景技術】
【０００２】
上記のような遊技球発射装置を備えた弾球遊技機として、例えばパチンコ機や雀球遊技機、アレンジボール機などが広く知られている。この種の遊技機の代表例とされるパチンコ機では、遊技盤を収容保持する枠部材（一般的に前枠と称される）の下部右側に発射ハンドルが前方に突出して設けられる一方、球皿の背後に位置する枠部材に遊技球を遊技盤に発射する発射機構が設けられており、球皿に遊技球を投入貯留して発射ハンドルの発射レバーを回動操作（捻り操作）したときに、発射レバーの回動操作量に応じた発射強度で遊技球が発射されるようになっている。
【０００３】
発射機構には、遊技球を打ち出すハンマを捻りコイルバネを介して揺動可能に支持するとともにバネの巻き上げ方向にハンマを揺動させるカムの駆動源としてモータを用いたモータ駆動式の発射機構（例えば特許文献１を参照）や、遊技球の打ち出しに引っ張りバネや捻りコイルバネのバネ力を利用しつつバネの巻き上げにロータリソレノイドの回転駆動力を利用するロータリソレノイド駆動式の発射機構（例えば特許文献２を参照）、ロータリソレノイドのロータ軸にハンマを固定してハンマを直接揺動駆動するロータリソレノイド駆動式の発射機構（例えば特許文献３を参照）などがあり、一般的には上記何れかの駆動方式の発射機構が用いられている。また発射レバーの回動操作量に応じた発射強度で遊技球を打ち出させる構成として、発射機構による遊技球の発射強度を設定する発射強度設定手段と発射レバーの回動作動を発射強度設定手段に伝達する伝達手段が設けられている。
【０００４】
発射強度設定手段は、モータ駆動式の発射機構では、捻りコイルバネの固定端側の角度位置を周方向に変位させる構成が一般的に用いられる。すなわち固定端側の角度位置を変位させて捻りコイルバネの初期撓みを変化させることで、カムによるハンマの揺動角度（捻りコイルバネの自由端側の角度位置）が同一であっても、固定端と自由端との間の相対的な捻り角度が変化し、これによりハンマに叩打される遊技球の発射強度を強〜弱に変化させて設定できるように構成される。一方ソレノイド駆動式の発射機構では、発射強度設定手段はロータリソレノイドの駆動電力を制御する構成が一般的に用いられ、例えばロータリソレノイドの駆動を制御する発射制御装置においてロータリソレノイドのコイルに印加するパルス状の駆動電力の電圧を高〜低に変化させ、あるいは電圧波形を変化させることで発生トルクを変化させ、これによりハンマの巻き上げ角度位置を制御しあるいはハンマの揺動作動を直接制御して、ハンマに叩打される遊技球の発射強度を強〜弱に変化させて設定できるように構成される。
【０００５】
また発射レバーの回動作動を発射強度設定手段に伝達する伝達手段として、モータ駆動式の発射機構では、発射レバーの回動作動を機械的に伝達する構成が一般的に用いられる。例えば発射ハンドルに発射レバーの回動に伴って回動する回動軸を設けるとともに、この回動軸の先端にギヤやタイミングプーリを締結し、ギヤ列またはタイミングベルト（歯付きベルト）を介して発射レバーの回動作動を発射強度設定手段に伝達する構成が用いられる。すなわち、このようにして伝達した回動方向の力によって捻りコイルバネの固定端を支持する支持部材の角度位置を周方向に変位させ、これにより発射強度を調整して設定するように構成される（例えば、特許文献１を参照）。一方ソレノイド駆動式の発射機構では、発射レバーの回動作動を電気的に伝達する構成が一般的に用いられる。具体的には発射ハンドルに発射レバーの回動角度位置を検出するポテンショメータを設けてその信号を発射制御装置（発射強度設定手段）に入力し、発射レバーの回動作動を電気抵抗の変化として発射強度設定手段に伝達するように構成される（例えば、特許文献２、特許文献３を参照）。
【特許文献１】特開２００１−２３１９３１号公報
【特許文献２】特開２００２−２５３７５６号公報
【特許文献３】特開２００４−１９４８８１号公報
【発明の開示】
【発明が解決しようとする課題】
【０００６】
しかしながら、上記のような従来の遊技球発射装置では以下のような問題があった。すなわち、モータ駆動式の発射機構を有する遊技球発射装置（以下、モータ駆動式発射装置という）では、捻りコイルバネの撓み量を変化させることで発射強度を調整し、カムが取り付けられたモータを回転させることでハンマを往復揺動させる構成のため、モータの作動は所定速度で単純に回転させるだけで良く、制御回路が簡便かつローコストに構成できるという利点がある。しかし発射レバーの回動操作に応じて捻りコイルバネの初期撓みを変化させるためには、発射レバーと発射機構とを機械的に連結させる必要があり、必然的に発射ハンドルと発射機構の配設位置が一定範囲に制限される。このような制限は、発射ハンドルの回動軸と捻りコイルバネの支持部材とをギヤやベルト等で連結させる方法を採用しても限界があり、配置の自由度が確保できないという問題があった。
【０００７】
一方、ソレノイド駆動式の発射機構を有する遊技球発射装置（以下同様に、ソレノイド駆動式発射装置という）では、発射レバーの回動角度位置を検出するポテンショメータと発射制御装置との間を信号線で電気的に接続する構成のため、発射ハンドルと発射機構の配置の自由度の点で優れている。しかし従来のソレノイド駆動式発射装置は、ロータリソレノイドに供給する駆動電力の波形を制御することでハンマによる叩打力を調整する構成のため、発射制御装置の構成が複雑化して大型化・高価格化することに加えて、発射レバーの回動操作量に対する発射強度の直線性を調整すること（ソレノイドの強度特性とポテンショメータの抵抗特性のマッチングを調整すること）が難しいなど波形制御特有の問題があった。
【０００８】
本発明は上記のような問題に鑑みてなされたものであり、簡明な構成で発射ハンドルと発射機構の相対位置を自由に設定可能な遊技球発射装置を提供することを目的とする。
【課題を解決するための手段】
【０００９】
上記目的達成のため、本発明は、遊技機の前面側に突出して設けられたハンドルベースおよびこのハンドルベースに回動操作可能に設けられた発射レバーを有する発射ハンドルと、遊技球を発射する発射機構と、発射機構による遊技球の発射強度を設定する発射強度設定手段と、発射レバーの回動作動を発射強度設定手段に伝達する伝達手段とを備え、発射レバーが回動操作されたときに、伝達手段により発射強度設定手段に伝達され当該発射強度設定手段により設定された発射強度で発射機構が遊技球を発射するように構成された弾球遊技機の遊技球発射装置である。そのうえで、本発明の遊技球発射装置では、伝達手段（例えば、実施形態における伝達機構１５０，２５０，３５０，５５０）が、可撓性を有して屈設可能な伝送部材を備えて形成され、発射レバーと発射強度設定手段（例えば、実施形態における設定リング１３１等）とを機械的に連結して発射レバーの回動作動を発射強度設定手段に伝達するように構成する。
【００１０】
ここで、「可撓性を有して屈設可能な伝送部材」として、例えば、インナーワイヤーとインナーワイヤーを軸方向に摺動自在に保持するアウターケーシングとからなるプルケーブル若しくはプッシュプルケーブル（これらを総称してコントロールケーブルとも称される）や、多条のワイヤやスパイラルチューブを正逆交互に多層に巻き上げたインナーコイルとインナーコイルを軸まわりに回動自在に保持するアウターケーシングとからなるフレキシブルシャフト（ロータリケーブルないしトルクロープ等とも称される）などが例示される。
【発明の効果】
【００１１】
上記構成の遊技球発射装置では、発射レバーの回動作動を発射強度設定手段に伝達する伝達手段が、可撓性を有して屈設可能な伝送部材を備えて形成され、発射レバーの回動作動が伝送部材を介して発射強度設定手段に機械的に伝達される。従って、このような伝送部材を備えた遊技球発射装置では、発射ハンドルと発射強度設定手段とを物理的に離れた位置に配設することができ、例えばモータ駆動式発射装置のように発射強度設定手段が発射機構に一体的に設けられる遊技球発射装置であっても、発射ハンドルと発射機構とをそれぞれ任意の位置に配設して作動させることができる。
【００１２】
このため、例えばモータ駆動式発射装置において、発射機構と発射ハンドルとを前枠の左右に分離して配設し、あるいは発射機構を前枠側に設け、前枠に対して横開き開閉可能な球皿側に発射ハンドルを設けてこれらを伝送部材で連結し、さらには発射機構を前枠の上部や前枠の裏面側に設けて発射ハンドルと伝送部材で連結させる等、従来と同様の発射機構および発射強度設定手段を用いながら配置の自由度を大幅に向上させ、ギヤ連結やベルト伝導では実現不可能であった配置を実現することができる。
【００１３】
またソレノイド式発射装置においても、上記のような伝送部材を用いることで、配置の自由度を確保しつつ波形制御特有の問題を改善することができる。例えば、ハンマの巻き上げにロータリソレノイドの回転駆動力を利用し、遊技球の打ち出しに引っ張りバネや捻りコイルバネのバネ力を利用する形態の発射機構において、発射レバーの回動作動を伝送部材により伝送してバネの固定端側の位置を変位させ（すなわちバネの初期撓みを変化させ）、これによりハンマに叩打される遊技球の発射強度を強〜弱に変化させて設定する構成にすることで、ロータリソレノイドの波形制御を単純化することができ、これにより発射制御装置の構成を簡明化して遊技球発射装置を小型化および低廉化することができる。
【００１４】
従って、本発明によれば、簡明な構成で発射ハンドルと発射機構の相対位置を自由に設定可能な遊技球発射装置を提供することができる。
【発明を実施するための最良の形態】
【００１５】
以下、本発明を実施するための形態について添付図面を参照しながら説明する。本発明に係る遊技球発射装置を備えた弾球遊技機の一例として、図１および図２にパチンコ機の正面図および背面図を示し、図３に球皿ユニットを取り外した状態での前枠下部領域（遊技補助盤）の正面図を示しており、まずこれらの図面を参照してパチンコ機ＰＭの全体構成について要約説明する。
【００１６】
パチンコ機ＰＭは、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３，３により前方に横開き開閉および着脱が可能に取り付けられ、正面右側に設けられた施錠装置４を利用して常には外枠１と係合連結された閉止状態に保持される。
【００１７】
前枠２の前面上部には、ガラス扉５が前方に横開き開閉および着脱可能に取り付けられ、正面右側に設けられた施錠装置４を利用して常には前枠２の前面を覆う閉止状態に保持される。ガラス扉５の背後に位置する前枠上部には、遊技盤２０を着脱可能に収容する収容枠が設けられており、この収容枠に立設姿勢で係止保持された遊技盤２０がガラス扉５を通して視認されるようになっている。
【００１８】
遊技盤２０は、所定板厚の積層合板の表面にセルを貼り付けてルーター加工した化粧板２１を基板とし、前面側に発射機構から打ち出された遊技球をガイドする案内レール２２が設けられて略円形の遊技領域ＰＡが区画形成される。遊技領域ＰＡには、多数本の遊技釘とともに風車や各種の入賞具２３，２４，２５、遊技の展開状況に応じた図柄を表示する図柄表示装置２７、LEDや表示ランプなどの遊技構成部品が取り付けられ、遊技領域ＰＡの下端部にアウト口２８が開口形成されている。化粧板２１の裏面側には中央部に図柄表示装置２７の作動や各種ランプの作動、効果音等の作動制御を行う図柄・音声制御装置８７が取り付けられ、その周囲には各入賞具に落入して化粧板２１の裏面側に導かれたセーフ球、およびアウト口２８を通って化粧板２１の裏面側に導かれたアウト球を、化粧板２１の背面に沿って裏セット盤３０の遊技済み球排出通路に導く球寄せカバーが取り付けられている。
【００１９】
前枠２の前面下部には、遊技補助盤と称される補助機構部１０が設けられるとともに、その前方に球皿ユニット６が左側上下に配設された球皿ヒンジ機構７，７により前方に横開き開閉および着脱可能に取り付けられ、正面右側に設けられた球皿施錠装置を利用して遊技補助盤１０の前面を覆う閉止状態に保持される。遊技補助盤１０の中央部には遊技の展開状況に応じた効果音を発生させるスピーカ１７が設けられ、このスピーカを挟んで右側に遊技球の発射操作を行う発射ハンドル１１０、左側に球皿ユニット６から送り出された遊技球を遊技盤２０に向けて発射する発射機構１２０が取り付けられている。
【００２０】
一方、前枠２の裏面側には、裏セット盤３０が遊技盤２０の背後を覆って着脱可能に取り付けられている。裏セット盤３０は、中央部に遊技盤２０の図柄・音声制御装置８７を受容する窓口を有して外枠１の内寸サイズよりも幾分小さめの方形枠状に形成され、表裏に遊技済み球排出通路や球払出制御機構の球通路、球抜き通路等が立体的に形成されている。また裏セット盤３０の背面各部には、パチンコ機ＰＭの作動を統括的に制御する主制御装置８１、遊技球の払い出し作動を制御する球払出制御装置８２、遊技球発射装置の作動を制御する発射制御装置８３、各制御装置や電子部品に電力を供給する電源ユニット８４、遊技施設側と信号や電力の入出力を行うターミナル基板８５等の各種制御装置や回路基板などの電子部品が取り付けられ、これらが図示しないコネクタケーブルで接続されてパチンコ機ＰＭが作動可能に構成される。
【００２１】
パチンコ機ＰＭは、球皿ユニット６およびガラス扉５が閉止施錠された状態で遊技に供され、球皿ユニット６の球受け皿に遊技球を貯留させて発射ハンドル１１０を操作することで遊技が開始される。発射ハンドル１１０において発射操作が行われると、球受け皿に貯留された遊技球が球皿ユニット６の背面側に装着された球送り装置によって１球ずつガイドホルダに送り出され、発射機構のハンマーにより遊技領域ＰＡに打ち出されてパチンコゲームが展開される。
【００２２】
このように概要構成されるパチンコ機ＰＭにあって、遊技補助盤１０に遊技球発射装置が設けられている。以下では、まず第１構成形態の遊技球発射装置１００について、図４〜図１１の各図を併せて参照しながら説明する。ここで、図４は遊技球発射装置１００の全体構成を略示する遊技補助盤の平面図、図５は発射ハンドル１１０の平断面図、図６、図７、図８はそれぞれ待機状態にある発射機構１２０の正面図、背面図、および平面図、図９はフレキシブルシャフトと発射ハンドルの回動軸との結合形態の一例として示すカップリングの斜視図、図１０(ａ)(ｂ)は発射機構１２０の作動を示す動作変位図であって(ａ)は捻りコイルバネを巻き上げた発射直前の状態の発射機構の正面図、(ｂ)は遊技球を打ち出した発射直後の状態の発射機構の正面図、図１１は発射強度設定構造の作用を説明する説明図（発射機構の背面図）である。
【００２３】
遊技球発射装置１００は、遊技機の前面側に突出して設けられた発射ハンドル１１０と、遊技球を発射する発射機構１２０、発射機構１２０に組み込まれ発射機構による遊技球の発射強度を設定する発射強度設定構造１４０、発射レバーの回動作動を発射強度設定構造に伝達する伝達機構１５０、および発射機構１２０の作動を制御する発射制御装置８３などからなり、発射レバーが回動操作されたときに、その回動が伝達機構１５０により発射強度設定構造１４０に伝達され発射強度設定構造において設定された発射強度で遊技球が発射されるように構成される。
【００２４】
発射ハンドル１１０は、図５に発射ハンドル１１０の平断面図を示すように、前方に開く椀状部および椀状部と繋がって後方に延びる円筒部からなり遊技補助盤１０の前面下部にネジ固定されるハンドルベース１１１、ハンドルベース１１１に回動操作（捻り操作）可能に支持された発射レバー１１２、前端部が発射レバー１１２に圧入固定されハンドルベース１１１に形成された軸受孔に回動自在に支持された回動軸１１３、発射レバー１１２の前面を覆ってハンドルベース１１１に固定されたハンドルキャップ１１４などから構成される。
【００２５】
また図５では詳細図示を省略するが、ハンドルベース１１１の椀状部およびハンドルキャップ１１４が形成する発射ハンドル内部に、発射レバー１１２を常時反時計廻りに付勢して回動操作されていないときに発射レバー１１２を基準の角度位置（以下、「発射停止位置」という）に配設させる捻りコイルバネ、発射レバー１１２が発射停止位置から所定角度（例えば５度程度の所定角度）以上時計廻りに回動操作されたときに発射作動を開始させるとともに、発射レバー１１２がこの所定の角度位置（以下、「発射作動位置」という）を超えて回動された状態で遊技者が発射停止ボタンを押圧操作したときに発射作動を停止させるための発射操作検出スイッチなどが設けられている。
【００２６】
発射レバー１１２と連結されて後方に延びる回動軸１１３の後端部は、外周面が一部平坦に平面取りされて軸直交の断面視においてＤ字状に形成されるとともに、この平面取りの部分にトガリ先の止めネジ先端部を受容するサラモミ穴が形成されている（図９を参照）。本構成形態では、フレキシブルシャフト１５１の機体後方への突出量を軽減するため、回動軸１１３をハンドルベース内に収容した構成例を示しており、回動軸１１３の前端部がハンドルベース１１１の円筒部の内側に配設される一方、円筒部の下面に形成された楕円状の操作孔１１１ｈに六角レンチを通して穴付止めネジを締め込み操作することで、後述する伝達機構１５０のカップリング１５５と連結するように構成している。
【００２７】
一方、各図には発射機構の一例としてモータ駆動式の発射機構１２０を例示する。発射機構１２０は、大別的には、発射機構の基板となるベースプレート１２１と、ベースプレート１２１を前後に貫通して回動自在に設けられたハンマー軸１２２、ベースプレート１２１の前面側に位置してハンマー軸１２２に固定されたハンマ１２３、ベースプレート１２１の後面側に設けられハンマ１２３を打ち出し方向に付勢する捻りコイルバネ１３２、ベースプレート１２１の後面側に設けられハンマ１２３を捻りコイルバネの巻き上げ方向に揺動駆動する発射駆動モータ１３５、および捻りコイルバネ１３２の固定端の角度位置を設定することで発射強度を設定する発射強度設定構造１４０などから構成される。
【００２８】
ベースプレート１２１の略中央部には、ハンマー軸１２２を支持するベアリングが圧入固定され、このベアリングにハンマー軸１２２が嵌入されて回動自在に支持される。ベースプレート１２１の前面側では、ハンマー軸１２２の前端部にハンマ１２３およびロッカーアーム１２４が固定される。ハンマ１２３は「く」字状に屈曲して細長く延びるハンマーアーム部１２３ａ、その上方に舌片状に突出する緩衝アーム部１２３ｂおよび両アーム部が交わる本体部に穿設されてハンマー軸１２２に固定される軸止孔などからなり、ハンマーアーム部１２３ａの先端には遊技球を叩打する樹脂製のハンマーヘッド１２３ｐが嵌着されている。ロッカーアーム１２４は全体として舌片状をなし、基端側にハンマー軸１２２に固定される軸止孔が穿設され、先端側に駆動カム１３６と接するカムローラ１２４ａが回転自在に枢結されている。
【００２９】
ハンマー軸１２２の前端部にはナットを締結する雄ネジが形成されるとともに、外周面が平行に平面取りされて軸直交の断面視において小判状に形成される一方、ハンマ１２３およびロッカーアーム１２４の軸止孔は、この軸端形状に合わせて小判型に打ち抜き成形されている。このため、軸止孔をハンマー軸に嵌合させることでハンマ１２３およびロッカーアーム１２４が、ともにハンマー軸１２２に対して所定のラジアル方向角度位置に設定され、バネ座金を介してナットを締め込むことで、ハンマー軸１２２に対して緩みや角度ずれを生じることなくハンマー軸１２２と一体的に揺動可能（回動可能）に取り付けられる。
【００３０】
またベースプレート１２１の前面には、ハンマ１２３におけるハンマーヘッド１２３ｐの叩打位置に合わせて遊技球を一時保持するガイドホルダ１２６が取り付けられるとともに、叩打位置をわずかに超えた揺動角度位置で緩衝アーム部１２３ｂを弾性的に受け止めるクッションゴム１２７が取り付けられている。
【００３１】
ベースプレート１２１の後面側では、ハンマー軸１２２と同軸の外周に位置して鍔付き円筒状のコアスリーブが後方に突出して設けられ、このコアスリーブの前方に発射強度調整用の設定リング１３１が回動可能に支持されるとともに、中間に打ち出し用の捻りコイルバネ１３２が支持され、その後方に回転リング１３３がハンマー軸１２２の後端部に固定されてハンマー軸１２２と一体に回動可能に配設される。すなわち本構成形態の発射機構においては、コアスリーブが設定リングを回動可能に支持する設定軸となりハンマー軸１２２と設定軸とが同一軸線上に形成される。
【００３２】
捻りコイルバネ１３２は一端（前端）が設定リング１３１に、他端（後端）が回転リング１３３に係止されて両者の間に周方向の弾性力を発生し、設定リング１３１を正面視における反時計廻りに、回転リング１３３を正面視における時計廻りに付勢する。このため、回転リング１３３と一体に回動するハンマ軸１２２を介してハンマ１２３が常時時計廻りに付勢され、カムローラ１２４ａが駆動カム１３６と接していない状態では、ハンマの緩衝アーム部１２３ｂがクッションゴム１２７に当接した待機状態に保持される。
【００３３】
一方、設定リング１３１の外周部には鋸歯状の設定ギヤ１４１が一部外方に突出して形成され、ベースプレート１２１の背面には設定ギヤ１４１の側端面と係合して設定リング１３１の回動を規制するストッパピン１２５が後方に突出して形成されている。このため、捻りコイルバネ１３２のバネ反力によって背面視における時計廻りに付勢される設定リング１３１は、次述する伝達ギヤ１４２が回動されていない状態では、設定ギヤ１４１の側端面がストッパピン１２５に当接して回動が規制され、設定リング１３１が初期の基準角度位置（以下「初期位置」という）に配設される。
【００３４】
設定ギヤ１４１の外側に、設定ギヤ１４１と噛合して伝達ギヤ１４２が回動可能に取り付けられ、この伝達ギヤと一体に回転する伝達軸１４３が後方に突出して枢支されている。伝達軸１４３の後端部は、発射ハンドルの回動軸１１３と同様に、軸端の外周面が一部平坦に平面取りされて軸直交の断面視においてＤ字状に形成されるとともに、この平面取りの部分にトガリ先の止めネジ先端部を受容するサラモミ穴が形成されている（図９を参照）。
【００３５】
なお回転リング１３３の後方に、捻りコイルバネ１３２の後方の係止端部（自由端）およびハンマー軸１２２の固定ナットを覆って、回転リング１３３と同径のエンドキャップ１３４が取り付けられており、揺動する係止端部に周囲の配線が引っかかったり保守作業時に接触して損傷を受けたりしないようになっている。
【００３６】
ベースプレート１２１の右上部には、ベースプレートの背面側に発射駆動モータ１３５がネジ固定され、この発射駆動モータのスピンドルに固定された駆動カム１３６がベースプレートの前面側にカムローラ１２４ａと隣接して配設される。
【００３７】
発射駆動モータ１３５は、変速機を内蔵して低速回転での回転トルクを向上させたステッピングモータ（ギヤドモータ）が用いられる。発射駆動モータの作動は発射制御装置８３によって制御され、発射レバー１１２が発射作動位置を超えて回動され発射ハンドルに内蔵された発射操作検出スイッチにより発射操作が検出されたときに、モータスピンドルを一定の回転速度で正面視における時計廻りに回転させるように制御される。
【００３８】
また駆動カム１３６は、カム半径が小径かつ一定の予備領域と、この予備領域からラジアル方向の角度変化に伴ってカム半径が滑らかに増大する巻き上げ領域とからなり、巻き上げ領域の終端でカム半径が最大径から最小径に急変して予備領域に繋がる形態になっている。駆動カム１３６とハンマ１２３との相対関係では、カムローラ１２４ａが駆動カムの予備領域にある時に、図１０(ｂ)に示すように、ハンマの緩衝アーム部１２３ｂがクッションゴム１２７に受け止められ、カムローラ１２４ａがカム面からわずかに離れた状態で駆動カム１３６のみが時計廻りに回転する。
【００３９】
駆動カム１３６が回転して巻き上げ領域になると、駆動カム１３６の回転に伴って位置半径が増大するカム面にカムローラ１２４ａが接して転動するとともに、カムローラを介して押圧力を受けるロッカーアーム１２４が正面視における反時計廻りに揺動され、ロッカーアーム１２４と連結されたハンマ１２３およびハンマー軸１２２が反時計廻りに揺動されて捻りコイルバネ１３２が巻き上げられる。そして、巻き上げ領域の終端部でカムローラ１２４ａが最大径部分のカム面を乗り越えたところで捻りコイルバネの付勢力に抗してカムローラ１２４ａを支持していたカム面が最小径へと急変し、巻き上げられた捻りコイルバネ１３２のバネ力によりロッカーアーム１２４、ハンマ１２３およびハンマー軸１２２が時計廻りに揺動して、ハンマーヘッド１２３ｐが叩打位置に達し、緩衝アーム部１２３ｂがクッションゴム１２７に受け止められて当接支持される。
【００４０】
従って、発射駆動モータ１３５を時計廻りに回転させることで、ハンマ１２３を反時計廻りに揺動させて捻りコイルバネ１３２を巻き上げ（図１０(ａ)を参照）、捻りコイルバネ１３２を一定角度巻き上げた角度位置でカムローラ１２４ａの支持を解放することによりバネに蓄えられた弾性力によりハンマ１２３を時計廻りに揺動させ、ガイドホルダ１２６に一時保持された遊技球をハンマーヘッド１２３ｐで叩打させて遊技球を発射することができる（図１０(ｂ)を参照）。
【００４１】
このように遊技補助盤１０の左右に分かれて配設された発射機構１２０と発射ハンドル１１０とが伝達機構１５０によって接続され、発射レバー１１２の回動が発射機構の設定リング１３１に伝達される。
【００４２】
伝達機構１５０は、可撓性を有して屈設可能であるとともに発射レバー１１２の回動を軸まわりの回動として伝送可能なフレキシブルシャフト１５１、発射ハンドルの回動軸１１３とフレキシブルシャフト１５１およびフレキシブルシャフト１５１と発射機構の伝達軸１４３とをそれぞれ結合するカップリング１５５を主体として構成される。
【００４３】
フレキシブルシャフト１５１は、多条のワイヤを正逆交互に多層に巻き上げたインナーコイルと、このインナーコイルを軸まわりに回動自在に保持するアウターケーシングとからなり、フレキシブルシャフト１５１の両端には、インナコイルの端部に固着されてインナコイルとともに一体的に回動する端末金具１５３が設けられている。端末金具１５３は、前述した発射ハンドルの回動軸１１３および伝達ギヤの伝達軸１４３と同様に、軸端の外周面が一部平坦に平面取りされて軸直交の断面視においてＤ字状に形成されるとともに、この平面取りの部分にトガリ先の止めネジ先端部を受容するサラモミ穴が形成されている（図９を参照）。
【００４４】
カップリング１５５は、短尺の円筒状をなし、軸芯に、回動軸１１３、伝達軸１４３および端末金具１５３の軸端形状に合わせた断面視Ｄ字状の連結孔１５５ａが前後貫通して形成されている。また各軸端に形成されたサラモミ穴の形成位置と整合して、外周面から連結孔１５５ａの平面部に向けて軸直交方向に貫通するネジ孔１５５ｂ，１５５ｂが形成されている。
【００４５】
このため、連結孔１５５ａの前後に発射ハンドルの回動軸１１３および端末金具１５３を嵌入することで、回動軸１１３と端末金具１５３とがカップリング１５５を介してトルク伝達可能に係合され、前後のネジ孔１５５ｂにトガリ先の穴付止めネジ１５６を螺合して締め込むことで回動軸１１３と端末金具１５３とが連結されて、回動軸１１３の回転がインナコイルを介して他端側の端末金具１５３に伝送される。
【００４６】
なお、本構成例のように、前後方向に延びる軸部材（回動軸や伝達軸）にフレキシブルシャフトを連結して軸線方向に取り出す構成によれば、機構構成を簡明化して低コストに伝達機構を構築することができる。一方、フレキシブルシャフトはその構成上から他のコントロールケーブル等と比較して大きめの許容曲げ半径が規定されており、この許容半径に起因してフレキシブルシャフトが機体後方に突出しやすい。このため、本構成例では、機体後方への突出量および範囲を軽減するため、発射ハンドルの回動軸１１３と端末金具１５３とをハンドルベース１１１の円筒部内で連結している。
【００４７】
すなわち、カップリング１５５をフレキシブルシャフトの端末金具１５３に嵌合およびネジ固定して遊技補助盤１０の裏面側からハンドルベース１１１の円筒部に挿入し、カップリングの連結孔１５５ａを発射ハンドルの回動軸１１３の軸端部に嵌合させて、ハンドルベース１１１の下面に形成された操作孔１１１ｈに六角レンチを挿通して前方の穴付止めネジ１５６を締め込み、回動軸１１３とカップリング１５５とを連結させる。これにより発射ハンドル後方へのフレキシブルシャフトの突出量を低減し周辺機器の配置の自由度を向上させている。
【００４８】
またフレキシブルシャフト１５１の他端側において、端末金具１５３に同様のカップリング１５５を嵌合およびねじ止めし、伝達ギヤの伝達軸１４３に連結孔１５５ａを嵌合させてねじ止めすることで伝達軸１４３と当該他端側の端末金具１５３とがカップリング１５５を介してトルク伝達可能に連結される。
【００４９】
これにより回動軸１１３と伝達軸１４３とがフレキシブルシャフト１５１により連結され、発射レバー１１２が回動操作されたときに、その回動が発射レバー１１２から回動軸１１３〜カップリング１５５〜端末金具１５３およびフレキシブルシャフト１５１のインナコイルを介して他端側の端末金具１５３に伝送され、さらにカップリング１５５〜伝達軸１４３を介して伝達ギヤ１４２に機械的に伝送される。この伝送は、発射レバー１１２の回動操作に１：１で対応しており、発射レバー１１２の回動操作に応じて発射レバー１１２の回動操作角と同一の回動角度で伝達ギヤ１４２が回動される。そして伝達ギヤ１４２の回動がこのギヤと噛合する設定ギヤ１４１に伝達され、伝達ギヤ１４２と設定ギヤ１４１のギヤ比に応じた回動角度で設定リング１３１が回動される。
【００５０】
そして、発射機構１２０において、設定リング１３１の角度位置に応じた発射強度、すなわち発射レバー１１２の回動操作角度に対応した発射強度で遊技球が打ち出される。以下、設定リング１３１の角度位置を調整することにより発射強度を設定する発射強度設定構造１４０の作用について、図１１(ａ)(ｂ)を参照しながら具体的な発射操作に即して説明する。ここで図１１(ａ)は発射レバー１１２が回動操作される以前の発射機構１２０の背面図、図１１(ｂ)は発射レバー１１２が回動操作されハンマ１２３が最大の揺動角度位置まで巻き上げられた状態の発射機構１２０の背面図である。なお以降では図１１を主として参照しながら説明するため、特記しない限り背面視における方向（例えば時計廻り、反時計廻り等の方向）を表記して説明する。
【００５１】
前述したように、設定リング１３１は、設定リング１３１と回動リング１３３との間に張り渡された捻りコイルバネ１３２のバネ力によって、時計廻りに付勢されている。このため、発射レバー１１２が回動操作されていない発射停止位置にある時には、図１１(ａ)に示すように、設定ギヤ１４１の側端面がストッパピン１２５に当接して回動が規制され、また緩衝アーム部１２３ｂがクッションゴム１２７に当接支持された初期位置に配設される。捻りコイルバネ１３２には、この初期位置において一定のバネ力を生じるように予め撓みが設定されており、ハンマ１２３はこの予備撓みに基づく所定の圧力、すなわち予備圧をもってクッションゴム１２７に押圧保持されている。
【００５２】
遊技者が発射レバー１１２を発射停止位置から正面視における時計廻りに回動操作すると、その回動が伝達機構１５０を介して伝達ギヤ１４２に伝送され、伝達ギヤ１４２と設定ギヤ１４１のギヤ比に応じた回動角度で設定リング１３１が背面視における反時計廻りに回動される。
【００５３】
設定リング１３１が反時計廻りに回動されると、設定リング１３１に係止された捻りコイルバネ１３２の前方の係止端部（固定端）が、設定リング１３１の回動とともに反時計廻りに揺動変位される。この方向への固定端の変位は捻りコイルバネ１３２の撓みを増大させる方向への変位であり、ハンマ１２３が揺動駆動される以前の捻りコイルバネ１３２の初期的な撓み、すなわち初期撓みが設定リング１３１の反時計廻りの回動角度に比例して増大する。このように発射レバー１１２の回動操作に伴って変化した捻りコイルバネ１３２の撓み角度を便宜的に「設定撓み」αと表記する。
【００５４】
また発射レバー１１２が回動操作されて発射作動位置を超えると、発射ハンドル１１０に内蔵された発射操作検出器から発射操作を検出する検出信号が発射制御装置８３に入力され、発射制御装置８３は発射駆動モータ１３５に駆動信号を出力して発射駆動モータ１３５を起動させ、モータスピンドルに結合された駆動カム１３６を一定の回転速度で反時計廻り（正面視における時計廻り）に回転させる。
【００５５】
駆動カム１３６の回転に伴い、カムローラ１２４ａが巻き上げ領域のカム面に接してカム面上を転動するようになると、カムローラ１２４ａを介して押圧力を受けるロッカーアーム１２４が時計廻りに揺動され、ロッカーアーム１２４に連結されたハンマ１２３、ハンマー軸１２２および回転リング１３３が時計廻りに揺動されて、回転リング１３３に係止された捻りコイルバネ１３２の後方の係止端部が、バネ１３２の巻き上げ方向、すなわち捻りコイルバネ１３２の撓みを増大させる方向に揺動変位される。
【００５６】
そして、巻き上げ領域の終端部でカムローラ１２４ａが最大径部分のカム面を乗り越えたところでカムローラ１２４ａを支持していたカム面が最小径へと急変し、巻き上げられた捻りコイルバネ１３２のバネ力によって回転リング１３３、ハンマー軸１２２、ハンマ１２３およびロッカーアーム１２４が反時計廻りに揺動する。そして、ハンマーアーム部先端のハンマーヘッド１２３ｐがガイドホルダ１２６に一時保持された遊技球を叩打して遊技盤に向けて発射し、緩衝アーム部１２３ｂがクッションゴム１２７に受け止められてハンマ等が当該角度位置に支持される。
【００５７】
このように、駆動カム１３６の回転により揺動されるハンマ１２３の揺動角度範囲は、緩衝アーム部１２３ｂがクッションゴム１２７に受け止められて支持された角度位置から、カムローラ１２４ａが駆動カム１３６の最大径部分に支持された角度位置までの角度範囲で常に一定であり、ハンマ１２３と一体に回動される回転リング１３３の回動範囲も同一の角度範囲となる。このため、回転リング１３３に係止された捻りコイルバネ１３２の係止端部（自由端）は、一定の角度位置を往復揺動することとなり、この自由端の揺動変位による捻りコイルバネ１３２の撓み角度（便宜的に「動作撓み」βと表記する）は、発射レバー１１２の回動操作角度によらず一定である。
【００５８】
従って、カムローラ１２４ａが駆動カム１３６の最大径部分に支持された発射直前の状態における捻りコイルバネ１３２の撓みは、予め設定された予備撓みに、発射レバー１１２を回動操作することによって揺動変位された固定端側の設定撓みαと、駆動カム１３６の回転によって揺動変位された自由端側の動作撓みβとを加えた撓み角度となり、このうち予備撓みと動作撓みが一定であることから、設定撓みαの大きさに比例して変化する。そしてこの設定撓みαは設定リング１３１の回動変位角度であり、発射レバー１１２の回動操作角度に比例する。
【００５９】
このため、発射レバー１１２の回動操作角度を大小変化させることで、発射直前に捻りコイルバネ１３２に蓄えられるバネ力を強弱変化させることができ、発射レバー１１２の回動操作角度に応じた発射強度で遊技球を打ち出すことができる。これにより、遊技者は発射機構１２０から遊技盤に打ち出された遊技球の到達位置を目視確認しながら、所望の目標位置に合わせて発射強度を容易に調整し設定することができる。
【００６０】
以上説明したように、遊技球発射装置１００では、発射強度設定構造である設定リング１３１に発射レバー１１２の回動を伝達する伝達機構１５０に、可撓性を有して屈設可能な伝送部材（フレキシブルシャフト１５１）を備えている。このため、射ハンドル１１０と発射機構１２０とを物理的に離れた位置に配設することができ、各図に例示したように発射機構としてモータ駆動式の発射機構を採用した場合であっても、発射ハンドルと１１０発射機構１２０とを前枠の左右に分離して配設することができる。従って、遊技球発射装置１００によれば、複雑な制御装置を用いない簡明な構成で、発射ハンドルおよび発射機構をそれぞれの機能を発揮させるのに最適な位置に配設して遊技球発射装置を構成することができる。また発射レバーの回動作動を軸まわりの回動としてそのまま伝送可能な伝送部材（フレキシブルシャフト１５１）を用いているため、作動方向を変換する場合に生じる変換損失等を削減するとともに機構構成を簡明化することができる。
【００６１】
次に、第２構成形態の遊技球発射装置２００について、図１２〜図１５の各図を参照しながら説明する。ここで、図１２は本構成形態における遊技球発射装置の全体構成を略示する遊技補助盤の平面図、図１３は発射ハンドルの回動軸とフレキシブルシャフトとの間に設けられた回動軸変換構造の平断面図、図１４は発射機構の設定軸とフレキシブルシャフトとの間に設けられた設定軸変換構造の背面図、図１５は設定軸変換構造の底面図である。
【００６２】
この遊技球発射装置２００は、遊技機の前面側に突出して設けられた発射ハンドル１１０と、遊技球を発射する発射機構１２０、発射機構１２０に組み込まれ発射機構による遊技球の発射強度を設定する発射強度設定構造１４０、発射レバー１１２の回動作動を発射強度設定構造１４０に伝達する伝達機構２５０、および発射機構１２０の作動を制御する発射制御装置８３などからなり、発射レバー１１２が回動操作されたときに、その回動が伝達機構２５０により発射強度設定構造１４０に伝達され発射強度設定構造において設定された発射強度で遊技球が発射されるように構成される。
【００６３】
そして伝達機構２５０は、前後方向に延びる発射ハンドルの回動軸２１３まわりの回動を当該回動軸と交差する左右方向の軸まわりの回動に変換する回動軸変換構造２６０と、発射強度設定構造１４０において前後方向に延びる設定軸まわりの回動を当該設定軸と交差する左右方向の軸まわりの回動に変換する設定軸変換構造２７０、および可撓性を有して屈設可能であるとともに発射レバー１１２の回動作動を軸まわりの回動として伝送可能なフレキシブルシャフト１５１を備えており、伝達機構２５０が発射レバーと発射強度設定構造１４０とを機械的に連結して発射レバー１１２の回動作動を発射強度設定構造に伝達するように構成される。
【００６４】
すなわち、この遊技球発射装置２００は、発射レバー１１２の回動作動を発射強度設定構造１４０に伝達する伝達機構２５０の構成が主として相違し、また発射ハンドル１１０における回動軸の軸端部、フレキシブルシャフト１５１における軸方向の長さおよび左右の端末金具等が前述した遊技球発射装置１００と一部相違するほか、発射ハンドル１１０、発射機構１２０、発射強度設定構造１４０、および発射機構１２０の作動を制御する発射制御装置８３などの基本構成は、前述した遊技球発射装置１００と同様である。従って、以降では同様の構成部分に同一番号を付して重複説明を省略し、相違する伝達機構２５０の回動軸変換構造２６０および設定軸変換構造２７０を中心に説明する。
【００６５】
図１３に、回動軸変換構造の一例として一対の傘歯車を用いた軸方向変換構造の構成例を示しており、回動軸変換構造２６０は、発射ハンドルの回動軸２１３の軸端に固定された第１傘歯車２６１と、この第１傘歯車２６１と噛合する第２傘歯車２６２とを主体として構成され、前後方向に延びる回動軸２１３まわりの回動を、回動軸２１３と直交する左右方向に延びる変換回動軸２６３まわりの回動に変換して伝達するように構成される。回動軸２１３は前述した遊技球発射装置１００における回動軸１１３よりも長く、軸端が遊技補助盤１０の裏面側に突出する長さ寸法に形成される。
【００６６】
回動軸２１３の後端部は、外周面が平面取りされて軸直交の断面視においてＤ字状に形成されるとともにトガリ先の止めネジ先端部を受容するサラモミ穴が形成され、この回動軸２１３に取り付けられる第１傘歯車２６１には、回動軸２１３の軸端形状に合わせたＤ字状の連結孔および止めネジを螺合させるネジ孔が形成されている。第１傘歯車２６１はこの歯車の連結孔を遊技補助盤１０の裏面側に突出する回動軸２１３の軸端に嵌入し、ネジ孔にトガリ先の穴付きと雌ねじを螺合させて締め込むことで、回動軸２１３の後端部に固定されトルク伝達可能に配設される。
【００６７】
変換回動軸２６３は第２傘歯車２６２と一体に形成されており、軸中間の外周部にはスナップリングを係止するリング溝、軸端部の外周には多条のスプラインが形成されている。回動軸変換構造を収容するハウジング２６６には、変換回動軸２６３を回動自在に枢支する軸受ブッシュ２６４が設けられており、この軸受ブッシュ２６４に変換回動軸２６３を挿通させて、ハウジング外側に突出した変換回動軸２６３のリング溝にスナップリング２６５を嵌着することで、第２傘歯車２６２が回動自在に取り付けられる。そしてハウジング２６６を第１傘歯車２６１の後方を覆うように取り付けることで、第１傘歯車２６１と第２傘歯車２６２とが噛合し、回動軸２１３の軸まわりの回動が、第１傘歯車２６１〜第２傘歯車２６２を介して回動軸２１３と直交する変換回動軸２６３の軸まわりの回動として伝達される。フレキシブルシャフト１５１の端部はアウターケーシングを固定する固定ブラケットにより遊技補助盤に固定される。
【００６８】
ところで、本構成形態では、第１傘歯車２６１から第２傘歯車２６２への回転伝達として、第１傘歯車２６１の方が歯数の多い増速形態の伝達構造を例示しており、発射レバー１１２を正面視における時計廻りに回動操作したときに、変換回動軸２６３が右側面視における時計廻りに発射レバー１１２の回動角度より大きな角度で回動されるように設定している。これは、次述する設定軸変換構造２７０として比較的大きな減速形態の伝達構造を例示することから、回動軸変換構造２６０と設定軸変換構造２７０とを合わせた全体での減速比（最終減速比）を調整する手段としての構成を示したものである。
【００６９】
逆説すれば、発射レバー１１２の回動操作角度と、回動させようとする設定リング１３１の回動角度との関係に応じて最終減速比を任意に設定し、これに応じて回動軸変換構造２６０と設定軸変換構造２７０のギヤ比とを適宜に設定することができる。例えば最終減速比を１に設定し、次段の設定変換構造２７０として等速伝達構造を採用するような場合には、第１傘歯車２６１と第２傘歯車２６２とを同一歯数の傘歯車で構成することができる。
【００７０】
フレキシブルシャフト１５１の発射ハンドル側の端部では、インナーコアに固着された端末金具に変換回動軸２６３のスプラインと嵌合するスプライン孔が形成され、アウターケーシングにはシャフト端部を遊技補助盤に固定するための固定ブラケットが取り付けられる。このため、端末金具のスプライン孔を変換回動軸２６３のスプラインに嵌合させ、固定ブラケットを遊技補助盤に固定することで、フレキシブルシャフト１５１が回動軸３１３の回動を伝達可能に連結される。
【００７１】
一方、設定軸変換構造の一例として、相互に噛合するウォームとウォームホイールを用いた軸方向変換構造の構成例を図１４および図１５に示しており、設定軸変換構造２７０は、設定リング１３１の外周部に形成されたウォームホイール部２７１と、フレキシブルシャフト１５１における発射機構側の端末金具に嵌合支持されたウォーム２７２とを主体として構成され、前後方向に延びる設定軸まわりに回動する設定リング１３１の回動を、設定軸と立体交差する左右方向に延びる端末金具の中心軸（変換設定軸）まわりの回動に変換するように構成される。
【００７２】
フレキシブルシャフト１５１における発射機構側の端末金具は、図９に示した端末金具１５３と同様であり、外周面が一部平坦に平面取りされて軸直交の断面視においてＤ字状に形成される一方、ウォーム２７２の軸心部には、この軸端形状に合わせた断面視Ｄ字状の軸止孔が設けられている。また発射機構のベースプレート１２１には、設定軸の軸線から所定ピッチ離れてフレキシブルシャフトの端末金具１５３を軸回りに回動自在に枢支する軸受部１２８，１２８が設けられ、この軸受部と隣接してフレキシブルシャフト１５１のアウターケースを固定する固定金具が取り付けられるようになっている。
【００７３】
このため、ウォーム２７２を左右の軸受部１２８，１２８の間に配設し、フレキシブルシャフトの端末金具１５３を背面視左側の軸受部側からウォーム２７２の軸止孔および右側の軸受部に挿通して左右の軸受部１２８，１２８に支持させることで、ウォーム２７２がウォームホイール部２７１に噛合した状態で回動可能に支持され、アウターケースを固定する固定金具をベースプレート１２１にねじ止めすることで、フレキシブルシャフト１５１の発射機構側の端部が固定される。これによりフレキシブルシャフトの端末金具を軸まわりに回動させたときに、この回動が相互に噛合するウォーム２７２〜ウォームホイール部２７１を介して設定リング１３１に伝達され、設定リング１３１が設定軸まわりに回動される。
【００７４】
以上により発射ハンドル１１０の回動軸２１３と発射機構の設定リング１３１とがフレキシブルシャフト１５１により連結され、発射レバー１１２が回動操作されたときに、その回動が回動軸２１３〜回動軸変換構造２６０〜フレキシブルシャフト１５１および設定軸変換構造２７０を介して設定リング１３１に伝達される。そして発射レバー１１２の回動操作角度および中間のギヤ比に応じた回動角度で設定リング１３１が回動され、発射機構１２０において設定リング１３１の角度位置に応じた発射強度、すなわち発射レバー１１２の回動操作角度に対応した発射強度で遊技球が打ち出される。
【００７５】
このように、遊技球発射装置２００では、発射強度を設定する設定リング１３１に対して発射レバー１１２の回動を伝達する伝達機構２５０に、可撓性を有して屈設可能な伝送部材（フレキシブルシャフト１５１）を備えているため、前述した遊技球発射装置１００と同様に発射ハンドル１１０と発射機構１２０とを物理的に離れた位置に配設することができ、発射機構としてモータ駆動式の発射機構を採用した場合であっても、発射ハンドルと１１０発射機構１２０とを前枠の左右に分離して離れた位置に配設することができる。また発射レバーの回動作動を軸まわりの回動として伝送可能な伝送部材（フレキシブルシャフト１５１）を用いているため、変換損失等を削減するとともに機構構成を簡明化することができる。
【００７６】
さらに、遊技球発射装置２００では、伝達機構２５０に、前後方向に延びる発射レバーの回動軸まわりの回動を左右方向の軸まわりの回動に変換する回動軸変換構造２６０、前後方向に延びる設定リングの設定軸まわりの回動を左右方向の軸まわりの回動に変換する設定軸変換構造２７０を備え、この回動軸変換構造２６０と設定軸変換構造２７０とをフレキシブルシャフト１５１で連結して、発射レバー１１２の回動作動を軸まわりの回動として設定リングに伝達している。このためフレキシブルシャフト１５１の許容曲げ半径に起因する機体後方への張り出し寸法を削減することができ、これにより比較的大きめの曲げ半径が必要とされる高トルク伝達型のフレキシブルシャフトを用いた場合でも、組付けを容易化し弾球遊技機を薄型に構成することができる。従って、遊技球発射装置２００によれば、複雑な制御装置を用いない簡明な構成で、発射ハンドル１１０および発射機構１２０をそれぞれの機能を発揮させるのに最適な位置に配設し、且つ機体後方への突出量を抑制したコンパクトな遊技球発射装置を構成することができる。
【００７７】
次に、第３構成形態の遊技球発射装置３００について、まず図１６〜図１８の各図を参照しながら説明する。ここで、図１６は遊技球発射装置３００における第１構成例の嵌合構造３６０を主として示す遊技補助盤の平断面図、図１７は球皿ユニット６を開放した状態における遊技補助盤側の嵌合構造の正面図、図１８は球皿ユニット６を閉鎖した嵌合状態における嵌合構造の正面図である。
【００７８】
本構成形態の遊技球発射装置３００は、前枠２の前方に横開き開閉可能な球皿ユニット６の前面側に設けられた発射ハンドル３１０と、遊技球を発射する発射機構１２０、発射機構１２０に組み込まれ発射機構による遊技球の発射強度を設定する発射強度設定構造１４０、発射レバー１１２の回動作動を発射強度設定構造１４０に伝達する伝達機構３５０、および発射機構１２０の作動を制御する発射制御装置８３などからなり、発射レバー１１２が回動操作されたときに、その回動が伝達機構３５０により発射強度設定構造１４０に伝達され発射強度設定構造において設定された発射強度で遊技球が発射されるように構成される。
【００７９】
そして伝達機構３５０は、球皿ユニット側と遊技補助盤側とに相互に嵌脱自在に設けられて球皿ユニット６を前枠２に閉止したときに嵌合して発射レバー１１２の回動作動を伝達する嵌合構造と、可撓性を有して屈設可能であるとともに発射レバー１１２から嵌合構造に伝達された回動作動を軸まわりの回動として伝送可能なフレキシブルシャフト１５１とを備えて構成される。
【００８０】
すなわち、遊技球発射装置３００は、発射レバー１１２の回動作動を発射強度設定構造１４０に伝達する伝達機構３５０の構成、発射ハンドル３１０の取付位置および軸端形状が主として相違するほか、発射機構１２０、発射強度設定構造１４０、および発射機構１２０の作動を制御する発射制御装置８３などの基本構成は前述した遊技球発射装置１００と同様である。また伝達機構３５０における、遊技補助盤側の嵌合構造からフレキシブルシャフト１５１を介して発射強度設定構造１４０に伝達する機構については、既述した伝達機構１５０，２５０と同様の構成を用いることができる。従って、同様の構成部分に同一番号を付して重複説明を省略し、相違する嵌合構造を中心に説明する。
【００８１】
図１６〜図１８の各図では、球皿ユニット６を前枠２に閉止したときに嵌合して発射レバー１１２の回動作動を伝達する嵌合構造の第１構成例として、発射ハンドルの回動軸３１３の先端部に形成された嵌合軸部３６３と、遊技補助盤側に設けられて嵌合軸部３６３と嵌脱自在に係合する受容嵌合部３６５とからなり、回動軸３１３の回動をフレキシブルシャフト１５１に伝達する嵌合構造３６０を例示している。
【００８２】
発射ハンドル３１０の基本構成は、図５に示した発射ハンドル１１０と同様であり（図５を参照）、前方に開く椀状部および円筒部からなり、左側縁部に設けられて球皿ユニット６を開閉可能に支持する球皿ヒンジ機構７，７（図３を参照）と反対側の球皿ユニット６の自由端側の前面下部にネジ固定されるハンドルベース１１１、ハンドルベース１１１に回動操作可能に支持された発射レバー１１２、前端部が発射レバー１１２に圧入固定されハンドルベース１１１の軸受孔に回動自在に支持された回動軸３１３、発射レバー１１２の前面を覆ってハンドルベース１１１に固定されたハンドルキャップ１１４などからなり、発射ハンドル３１０の内部には、発射レバー１１２を常時反時計廻りに付勢する捻りコイルバネ、発射レバー１１２が発射停止位置から所定角度以上時計廻りに回動操作されたときに発射作動を開始させる発射操作検出スイッチなどが設けられている。発射操作検出スイッチの信号線等は、球皿ヒンジ機構７，７の近傍を通って前枠２側の発射制御装置８３に接続されている。
【００８３】
発射レバー１１２に連結されて後方に延びる回動軸３１３は、ハンドルベース１１１がネジ固定された球皿ユニット６の背面よりも後方に延びて配設され、軸端部には嵌合軸部３６３が形成されている。嵌合軸部３６３は、軸部から軸直交の左右に突出して係合ピン３６３ｂが設けられるとともに、先端角部が面取りされて導入部が形成されている。
【００８４】
一方、遊技補助盤には、球皿ユニット６を前枠２に閉止したときの回動軸３１３と同一軸上に位置整合して、円柱状のカップリング３５５がスナップリング３５６を利用して軸まわりに回動可能に取り付けられている。カップリング３５５の後端側は、前述したカップリング１５５と同様に、フレキシブルシャフトの端末金具１５３を受容する断面視Ｄ字状の連結穴（１５５ａ）および端末金具を固定するネジ孔（１５５ｂ）が形成されており（図９を参照）、連結穴に端末金具１５３を嵌入してトガリ先の穴付止めネジを螺合締結することで、カップリング３５５〜フレキシブルシャフト１５１〜発射強度設定構造１４０が連結される。
【００８５】
またカップリング３５５の前端側には、回動軸の嵌合軸部３６３を受容して嵌脱自在に係合する受容嵌合部３６５が形成されている。この受容嵌合部３６５には、回動軸３１３の外径よりも幾分大きめの内径を有して回動軸３１３の後端部を受容する軸受容穴３６５ａ、および左右の係合ピン３６３ｂを溝内に受容し回動軸３１３が回動されたときに係合ピンと係合して回動を伝達する係合溝３６５ｂが正面視扇状に形成されている。
【００８６】
このため、遊技補助盤の前方を覆うように球皿ユニット６を閉止させると、回動軸３１３の先端部が軸受容穴３６５ａに嵌入し、軸部から左右に突出する係合ピン３６３ｂが係合溝３６５ｂの溝内に進入して、発射ハンドルの嵌合軸部３６３が遊技補助盤側の受容嵌合部３６５と係合する。そして、球皿施錠装置により球皿ユニット６が閉止位置にロック保持される。この係合状態では、回動軸３１３が回動されたときに、回動軸３１３とともに回動する係合ピン３６３ｂ，３６３ｂが扇状の係合溝３６５ｂ，３６５ｂ内を回動して溝側面に係合し、回動軸３１３の回転駆動力をカップリング３５５に伝達して軸線まわりに回動させる。
【００８７】
これにより、発射ハンドル１１０の回動軸３１３とカップリング３５５とが、嵌合軸部３６３および受容嵌合部３６５からなる嵌合構造３６０により連結され、発射レバー１１２が回動操作されたときに、その回動が回動軸３１３〜嵌合構造３６０を介してカップリング３５５に伝達され、カップリング３５５に固定された端末金具１５３〜フレキシブルシャフト１５１を介して発射強度設定手段１４０の設定リング１３１に伝達される。そして、発射レバー１１２の回動操作角度（および設定軸変換構造を設けた場合にはそのギヤ比）に応じた回動角度で設定リング１３１が回動され、発射機構１２０において、設定リング１３１の角度位置に応じた発射強度、すなわち発射レバー１１２の回動操作角度に対応した発射強度で遊技球が打ち出される。
【００８８】
一方球皿ユニット６を横開き開放したときには、嵌合軸部３６３が受容嵌合部３６５から離脱して、発射ハンドル３１０が球皿ユニット６とともに機体前方に揺動変位する。従って球皿ユニット６を開放した状態では、発射レバー１１２を回動操作してもその回動が設定リング１３１に伝達されず発射強度を調整することができない。しかし本構成では受容嵌合部３６５に正面視扇状の係合溝３６５ｂを形成しており、受容嵌合部３６５にマイナスドライバーを挿入して回動操作できるように構成している。このため、例えば球皿ユニット６を開放した状態で保守作業を行うような場合には、マイナスドライバーを用いて発射強度の調整を行うことができる。また、係合溝３６５ｂを扇状に形成しているため、発射停止位置にある回動軸の係止ピン３６３ｂの角度位置と、これを受容する係合溝３６５ｂの角度位置とが厳密に一致していなくても嵌脱させることができ、遊技機組立時における初期調整を容易化するとともに、経時変化によって多少角度ズレ等が生じても逐一調整作業を行う必要がないメンテナンス性に優れた嵌合構造を提供できる。
【００８９】
従って、以上説明した遊技球発射装置３００では、発射レバー１１２の回動を設定リング１３１に伝達する伝達機構３５０に、可撓性を有して屈設可能な伝送部材（フレキシブルシャフト１５１）を備えているため、前述した遊技球発射装置１００，２００と同様に、発射ハンドル３１０と発射機構１２０とを物理的に離れた位置に配設することができ、発射機構としてモータ駆動式の発射機構を採用した場合であっても、発射ハンドルと３１０発射機構１２０とを分離して配設することができる。また発射レバーの回動作動を軸まわりの回動として伝送可能な伝送部材（フレキシブルシャフト１５１）を用いているため、変換損失等を削減するとともに機構構成を簡明化することができる。
【００９０】
さらに、遊技球発射装置３００では、発射ハンドル３１０を球皿ユニット側に、発射機構を遊技補助盤側に設けるとともに、球皿ユニット６の開閉に伴って嵌脱する嵌合構造３６０を設け、球皿ユニット６を前枠２に閉止したときに嵌合して発射レバー１１２の回動を設定リング１３１に伝達するように構成する。このため、機械的な伝達構造でありながら発射ハンドル３１０を球皿ユニット６の前面側に設けることが可能になり、発射ハンドルおよび発射機構の配置の自由度のみならず、遊技機全体の構成の自由度を向上させることができる。従って、遊技球発射装置３００によれば、複雑な制御装置を用いない簡明な構成で、発射ハンドル３１０および発射機構１２０をそれぞれの機能を発揮させるのに最適な位置に配設して遊技球発射装置を構成することができる。
【００９１】
次に図１９〜図２１の各図に、第３構成形態における第２構成例の嵌合構造３７０を図１６〜図１８の各図に対応した図面で示す。すなわち、図１９は本構成の嵌合構造３７０を主として示す遊技補助盤の平断面図、図２０は球皿ユニット６を開放した状態における遊技補助盤側の嵌合構造の正面図、図２１は球皿ユニット６を閉鎖した嵌合状態における嵌合構造の正面図である。なおこの嵌合構造３７０は嵌合軸部３７３および受容嵌合部３７５の構成のみが上述した嵌合構造３６０と異なり、他の構成部分は同様に構成される。そこで、同一部分に同一番号を付して重複説明を省略し以下簡潔に説明する。
【００９２】
嵌合構造３７０では、球皿ユニット６から後方に突出する回動軸３１３の後部が、所定サイズの六角レンチ（例えば対面幅が４〜８mmのレンチサイズ）に合わせた六角棒状に形成されるとともに、後端部に円錐状の導入部が設けられて嵌合軸部３７３が構成される。一方、遊技補助盤１０側に閉止状態の回動軸の軸線と位置整合して前述同様のカップリング３５５が回動可能に取り付けられ、このカップリング３５５の前端側に嵌合軸部３７３と嵌脱自在な六角穴状の受容嵌合部３７５が形成される。
【００９３】
そして、遊技補助盤の前方を覆うように球皿ユニット６を閉止させると、嵌合軸部３７３先端の誘導部がガイドして受容嵌合部３７５に進入し、次いで嵌合軸部３７３の六角部が受容嵌合部３７５に嵌入して相互に係合し、球皿施錠装置により球皿ユニット６が閉止位置にロック保持される。
【００９４】
これにより、発射ハンドル３１０の回動軸３１３とカップリング３５５とが、嵌合軸部３７３および受容嵌合部３７５からなる嵌合構造３７０によりトルク伝達可能に連結され、発射レバー１１２が回動操作されたときに、その回動が回動軸３１３〜嵌合構造３７０を介してカップリング３５５に伝達され、カップリング３５５に固定された端末金具１５３〜フレキシブルシャフト１５１を介して発射強度設定構造１４０の設定リング１３１に伝達される。そして、発射レバー１１２の回動操作角度に応じた回動角度で設定リング１３１が回動され、発射機構１２０において、設定リング１３１の角度位置に応じた発射強度、すなわち発射レバー１１２の回動操作角度に対応した発射強度で遊技球が打ち出される。
【００９５】
球皿ユニット６を横開き開放したときには、嵌合軸部３７３が受容嵌合部３７５から離脱して、発射ハンドル３１０が球皿ユニット６とともに機体前方に揺動変位する。本構成の嵌合構造３７０では六角レンチのレンチサイズに合わせた受容嵌合部３７５を形成しており、球皿ユニット６を開放した状態で保守作業を行うような場合でも六角レンチを用いて発射強度の調整を行うことができる。従って、以上概要説明した嵌合構造３７０を有する遊技球発射装置においても、上述した遊技球発射装置３００と同様の効果を得ることができる。
【００９６】
さて、以上では、発射レバー１１２の回動作動を発射強度設定構造１４０に伝達する伝達機構について、可撓性を有して屈設可能な伝送部材としてフレキシブルシャフト１５１を用い、発射レバー１１２の回動作動を軸まわりの回動として設定リング１３１に伝送する形態の伝達機構を種々例示してきた。図２２および図２３には、可撓性を有して屈設可能な伝送部材の他の構成例としてコントロールケーブル５５１を用いた伝達機構５５０を示しており、以下これらの図面を参照しながら第４構成形態の遊技球発射装置５００について説明する。ここで、図２２は発射ハンドルの回転軸２１３とコントロールケーブル５５１の接続部分を示す平面図(ａ)および背面図(ｂ)、図２３は発射機構の設定リング１３１とコントロールケーブル５５１との接続部分を示す背面図(ａ)および底面図(ｂ)である。なお発射ハンドル１１０、発射機構１２０、発射強度設定構造１４０などの共通部分に同一番号を付して重複説明を省略し、伝達機構５５０について要約説明する。
【００９７】
伝達機構５５０は、前後方向に延びる発射ハンドルの回動軸２１３まわりの回動変位を当該回動軸と交差する左右方向の軸方向変位に変換する回動変位変換構造５６０と、発射強度設定構造１４０において前後方向に延びる設定軸まわりの回動を当該設定軸と交差する左右方向の軸方向変位に変換する設定変位変換構造５７０、およびインナーワイヤー５５１ａとインナーワイヤーを軸方向に摺動自在に保持するアウターケーシング５５１ｂとからなり可撓性を有して屈設可能なコントロールケーブル５５１を備えており、伝達機構５５０が発射レバー１１２と発射強度設定構造１４０とを機械的に連結して発射レバー１１２の回動作動を発射強度設定構造に伝達するように構成される。
【００９８】
回動変位変換構造５６０は、回動軸２１３の軸端に固定された回動プーリ５６１を主体として構成される。回動プーリ５６１には、コントロールケーブルのインナーワイヤー５５１ａを巻き掛けるプーリ溝５６１ａ、およびインナーワイヤーの端末にカシメ固着された短円柱状の端末金具５５１ｃを掛止する掛止溝５６１ｃが形成されている。遊技補助盤にはアウターケーシング５５１ｂの端部を係止する係止ブラケットが設けられており、アウターケーシング５５１ｂの端部を係止ブラケットに係止し、端末金具５５１ｃを掛止溝５６１ｃに掛止することで、コントロールケーブル５５１が回動プーリ５６１に接続される。
【００９９】
設定変位変換構造５７０は、回動リング１３１を直接利用して巻き掛ける構成形態を例示する。回転リング１３１の外周面にはインナーワイヤーの端末にカシメ固着された短円筒状の端末金具５５１ｃを掛止する掛止フック部１３１ｃが形成され、ベースプレート１２１にはアウターケーシング５５１ｂの端部を係止する係止ブラケットが設けられている。このため、アウターケーシング５５１ｂの端部を係止ブラケットに係止し、端末金具５５１ｃを掛止フック部１３１ｃに掛止することで、コントロールケーブル５５１が設定リング１３１に接続される。
【０１００】
以上により発射ハンドル１１０の回動軸２１３と発射機構の設定リング１３１とがコントロールケーブル５５１により連結され、発射レバー１１２が回動操作されたときに、回動軸２１３の回動変位が回動変位変換構造５６０により回動軸と交差する左右方向の変位に変換され、コントロールケーブル５５１を介して伝送されたうえ、設定軸変換構造２７０により再び回動変位に変換され設定リング１３１に伝達される。そして発射レバー１１２の回動操作角度に応じた回動角度で設定リング１３１が回動され、発射機構１２０において設定リング１３１の角度位置に応じた発射強度、すなわち発射レバー１１２の回動操作角度に対応した発射強度で遊技球が打ち出される。
【０１０１】
なお前述した伝達機構２５０では、発射レバー１１２の回動操作角度と、回動させようとする設定リング１３１の回動角度との関係に応じて最終減速比を任意に設定し、これに応じて回動軸変換構造２６０と設定軸変換構造２７０のギヤ比とを適宜に設定可能であることを開示したが、本構成の伝達機構５５０にあっても、回動変位変換構造５６０における回動プーリ５６１のプーリ径と、設定リング１３１の外径との比（インナーワイヤー５５１ａの巻き掛け径の比）を適宜に設定することで、所要の角度比を設定することが可能である。
【０１０２】
従って、以上説明した伝達機構５５０を用いた遊技球発射装置５００においても、前述した各構成形態の遊技球発射装置と同様に、発射ハンドル１１０と発射機構１２０とを物理的に離れた位置に配設することができ、発射機構としてモータ駆動式の発射機構を採用した場合であっても、発射ハンドルと１１０発射機構１２０とを前枠の左右に分離して離れた位置に配設することができる。
【０１０３】
また伝達機構５５０では、前後方向に延びる発射レバーの回動軸まわりの回動変位を回動軸と交差する左右方向の軸方向変位に変換する回動変位変換構造５６０、前後方向に延びる設定リングの設定軸まわりの回動変位を設定軸と交差する左右方向の軸方向変位に変換する設定変位変換構造５７０を備え、この回動変位変換構造５６０と設定変位変換構造５７０とを可撓性を有して屈設可能なコントロールケーブル５５１で連結して、発射レバー１１２の回動作動を設定リング１３１に伝達している。このため伝送部材の機体後方への張り出しを抑制して遊技球発射装置を薄型に構成することができ、複雑な制御装置を用いない簡明な構成で、発射ハンドル１１０および発射機構１２０をそれぞれの機能を発揮させるのに最適な位置に配設し、且つ機体後方への突出量を抑制したコンパクトな遊技球発射装置を構成することができる。
【０１０４】
なお、以上の説明にあたっては、種々の伝達機構をモータ式発射装置に適用した構成例を示したが、各伝達機構はソレノイド式発射装置についても同様に適用することができ、ソレノイド式発射装置が有する配置の自由度を確保しつつ、波形制御特有の問題を改善することができる。すなわち、ハンマの巻き上げにロータリソレノイドの回転駆動力を利用し、遊技球の打ち出しに引っ張りバネや捻りコイルバネのバネ力を利用するように発射機構を構成し、発射レバーの回動作動を既述した伝達機構伝により伝送してバネの固定端側の位置を変位させ、これによりハンマに叩打される遊技球の発射強度を設定する構成にする。これによりソレノイド式発射装置で課題とされるロータリソレノイドの波形制御を単純化することができ、発射制御装置の構成を簡明化して遊技球発射装置を小型化および低廉化することができる。
【図面の簡単な説明】
【０１０５】
【図１】本発明に係る遊技球発射装置を備えた弾球遊技機の一例として示すパチンコ機の正面図である。
【図２】上記パチンコ機の背面図である。
【図３】球皿ユニットを取り外した状態で示す前枠下部領域（遊技補助盤）の正面図である。
【図４】第１構成形態の遊技球発射装置の全体構成を略示する遊技補助盤の平面図である。
【図５】上記遊技球発射装置における発射ハンドルの平断面図である。
【図６】上記遊技球発射装置における発射機構の正面図である。
【図７】上記発射機構の背面図である。
【図８】上記発射機構の平面図である。
【図９】フレキシブルシャフトと発射ハンドルの回動軸との結合形態の一例として示すカップリングの斜視図である。
【図１０】発射機構の作動を示す動作変位図であって、このうち(ａ)は捻りコイルバネを巻き上げた発射直前の状態の発射機構の正面図、(ｂ)は遊技球を打ち出した発射直後の状態の発射機構の正面図である。
【図１１】発射強度設定構造の作用を説明する説明図であって、このうち(ａ)は発射レバーが回動操作される以前の発射機構の背面図、(ｂ)は発射レバーが回動操作されハンマが最大の揺動角度位置まで巻き上げられた状態の発射機構の背面図である。
【図１２】第２構成形態の遊技球発射装置の全体構成を略示する遊技補助盤の平面図である。
【図１３】発射ハンドルの回動軸とフレキシブルシャフトとの間に設けられた回動軸変換構造の平断面図である。
【図１４】発射機構の設定軸とフレキシブルシャフトとの間に設けられた設定軸変換構造の背面図である。
【図１５】上記設定軸変換構造の底面図である。
【図１６】第３構成形態の遊技球発射装置における第１構成例の嵌合構造を主として示す遊技補助盤の平断面図である。
【図１７】球皿ユニットを開放した状態における遊技補助盤側の上記嵌合構造の正面図である。
【図１８】球皿ユニットを閉鎖した嵌合状態における上記嵌合構造の正面図である。
【図１９】第３構成形態の遊技球発射装置における第２構成例の嵌合構造を主として示す遊技補助盤の平断面図である。
【図２０】球皿ユニットを開放した状態における遊技補助盤側の上記嵌合構造の正面図である。
【図２１】球皿ユニットを閉鎖した嵌合状態における上記嵌合構造の正面図である。
【図２２】第４構成形態の遊技球発射装置における伝達機構を示し、(ａ)(ｂ)の各図は発射ハンドルの回転軸とコントロールケーブルとの接続部分を示す平面図および背面図である。
【図２３】第４構成形態の遊技球発射装置における伝達機構を示し、(ａ)(ｂ)の各図は発射機構の設定リングとコントロールケーブルとの接続部分を示す背面図および底面図である。
【符号の説明】
【０１０６】
ＰＭ  パチンコ機
２  前枠
６  球皿ユニット
１００  遊技球発射装置（第１構成形態）
１１０  発射ハンドル
１１１  ハンドルベース
１１２  発射レバー
１１３  回動軸
１２０  発射機構
１３１  設定リング
１４０  発射強度設定構造
１５０  伝達機構（第１構成形態）
１５１  フレキシブルシャフト
２００  遊技球発射装置（第２構成形態）
２１３  回動軸
２５０  伝達機構（第２構成形態）
２６０  回動軸変換構造
２７０  設定軸変換構造
３００  遊技球発射装置（第３構成形態）
３１０  発射ハンドル
３１３  回動軸
３５０  伝達機構（第３構成形態）
３６０  嵌合構造
３７０  嵌合構造
５００  遊技球発射装置（第４構成形態）
５５０  伝達機構（第４構成形態）
５５１  コントロールケーブル
【図１】
2006068145.tif 000003
【図２】
2006068145.tif 000004
【図３】
2006068145.tif 000005
【図４】
2006068145.tif 000006
【図５】
2006068145.tif 000007
【図６】
2006068145.tif 000008
【図７】
2006068145.tif 000009
【図８】
2006068145.tif 000010
【図９】
2006068145.tif 000011
【図１０】
2006068145.tif 000012
【図１１】
2006068145.tif 000013
【図１２】
2006068145.tif 000014
【図１３】
2006068145.tif 000015
【図１４】
2006068145.tif 000016
【図１５】
2006068145.tif 000017
【図１６】
2006068145.tif 000018
【図１７】
2006068145.tif 000019
【図１８】
2006068145.tif 000020
【図１９】
2006068145.tif 000021
【図２０】
2006068145.tif 000022
【図２１】
2006068145.tif 000023
【図２２】
2006068145.tif 000024
【図２３】
2006068145.tif 000025